【事件の表示】
　平成　４年特許願第３５２８８６号「記録媒体演奏装置」拒絶査定に対する審判事件［平成　６年　６月２８日出願公開、特開平　６−１８０９３４］について、次のとおり審決する。
【結　論】
　本件審判の請求は、成り立たない。
【理　由】
１ 手続の経緯、本願発明
　本願は、平成４年１２月１４日の出願であって、その請求項１〜４に係る発明は、原審及び当審において補正された明細書及び図面の記載からみて、その特許請求の範囲の請求項１〜４に記載されたとおりの「記録媒体演奏装置」にあるものと認められるところ、その請求項１に記載された発明は次のとおりのものと認める。
　「【請求項１】 収納部材に収納された複数の記録媒体より所定の駆動指令に応じて所定の記録媒体の一つを駆動部に装填してこれを演奏する演奏駆動手段を備える演奏駆動装置を複数接続可能な記録媒体演奏装置であって、
　前記複数の演奏駆動装置のいずれか一つを選択する選択手段と、
　前記選択手段により選択された演奏駆動装置に対して前記駆動指令を送出すると共に、前記演奏駆動手段の状態を監視する制御手段を有し、
　前記制御手段は、前記選択手段により選択された演奏駆動装置が記録媒体を再生できない状態を検知したときは、他の演奏駆動装置を選択するように前記選択手段を制御することを特徴とする記録媒体演奏装置。」(以下、「本願発明」という。)
　　
２ 当審の拒絶理由
　当審において平成１４年１０月１６日付けで通知した拒絶の理由のうち、理由Ｉの概要は次のとおりである。
　本件出願の請求項１〜５に係る発明は、その出願前に国内において頒布された下記の刊行物に記載された発明に基づいて、当業者が容易に発明をすることができたものと認められるから、特許法第２９条第２項の規定により特許を受けることができない。
　　　　　　　　　　　　　　　記
　刊行物１：特開昭６２−２１２９６６号公報
　刊行物２：特開平３−７８１５９号公報
　刊行物３：特開昭６３−２１４９６５号公報
　　
３ 引用刊行物に記載された発明
　上記刊行物１及び２には、それぞれ次の発明又は技術的事項が記載されている。
　(1) 刊行物１
　　刊行物１には、収納している複数枚のディスクの中から所望のディスクの配置位置を検索し、そのディスクをアクセスして再生装置により再生するようにした複数台のディスクチェンジャ装置を制御装置に接続して管理制御する「ディスクチェンジャ制御装置」について、次の事項が記載されている。
　　(ａ) 第１頁の「特許請求の範囲」において
　　 「収納している複数毎のディスクの中から所望のディスクの配置位置を検索し、そのディスクをアクセスして再生装置により再生するようにした複数台のディスクチェンジャ装置を制御装置に接続して管理制御するディスクチェンジャ制御装置において、
　　　上記複数台のディスクチェンジャ装置を制御装置に縦続接続するとともに、
　　　設定操作可能なスイッチ手段と、上記制御装置にて与えられるディスク指定番号と上記スイッチ手段の設定により与えられる定数とを比較演算処理する演算処理手段を上記各ディスクチェンジャ装置の設け、
　　　上記各ディスクチェンジャ装置において、上記演算処理手段によって上記ディスク指定番号が自己のアクセスすべきディスクを指定しているか否かを判定するとともに、その判定結果に応じてアクセスすべきディスクの配設位置データを算出して、指定されたディスクをアクセスして再生するようにしたことを特徴とするディスクチェンジャ制御装置。」
　　(ｂ) 第３頁右上欄２〜１７行において
　　 「この実施例は、システム全体を第１図のブロック図に示すように、（中略）システム全体の動作制御を行う再生制御装置２、この再生制御装置２に縦続接続された複数ｍ台のディスクチェンジャ装置３Ａ，３Ｂ，３Ｃ…、上記ディスクチェンジャ装置３Ａにてコンパクトディスクから再生されるサブコードデータをサブコードデコーダ４にてデコードして得られるビデオ信号（中略）が供給されるモニターテレビジョン受像機５、上記再生制御装置２を介して上記各ディスクチェンジャ装置３Ａ，３Ｂ，３Ｃ…から再生オーディオ信号が供給されるメインアンプ７、このメインアンプ７に接続されたマイクロホン８やスピーカ９等にて構成されている。」
　　(ｃ) 第３頁右上欄１８行〜同頁右下欄３行において
　　 「上記再生制御装置２は、第２図の外観斜視図に示してあるように、その前面パネルに、予約キー１１、ＢＧＭキー１２、取消キー１３、待機キー１４、変更キー１５や確認キー１６等の操作モードを指定するファンクションキーと、スタートキー１７、やり直しキー１８、終了キー１９等の動作モードを指定するオペレーションキーとデータ入力用の数値キー２０が配設されているとともに、設定データや動作状態等を表示する各種表示部２１が設けられている。そして、この再生制御装置２は、第３図のブロック図に構成を示してあるように、上記各種操作入力キー２２による操作を受け付けて、表示部２２の制御や上記ディスクチェンジャ装置３の動作制御を行う中央処理装置２３と上記各種操作入力キー２２による設定データを記憶する予約登録用の第１のメモリ２５、第１および第２のポインタレジスタ２６，２７や再予約登録用の第２のメモリ２９を備え、上記各種操作入力キー２２による設定データを入力バッファ２４を介して取り込んで、上記予約登録メモリ２５に書き込み、上記中央処理装置２３によって、上記表示部２２の制御を行うとともに、上記予約登録の第１のメモリ２５や再予約登録用の第２のメモリ２９から読み出される設定データを送信バッファ２６を介して上記ディスクチエンジャ装置３に供給して再生動作制御を行うようになっている。」
　　(ｄ) 第３頁右下欄４行〜第４頁右上欄５行において
　　 「また、上記ディスクチエンジ装置３は、第４図に示すように、複数ｎ枚のコンパクトディスク３０ａ，３０ｂ，…を収納するディスク収納部３１と、上記複数ｎ枚のコンパクトディスク３０ａ，３０ｂ，…の中から所望のディスクの配置位置をインデックスマーク３２を利用して検索し、そのディスクをアクセスして再生装置３４に装着するディスクキャリア３３とを備え、上記ディスクキャリア３３および再生装置３４の動作制御が上記再生制御装置２によって行われるようになっている。上記ディスクチエンジャ装置３は、その制御系の構成を第５図のブロック図に示すように、任意の数値データを設定操作自在なデジタルスイッチ等のスイッチ３５と、上記再生制御装置２から送られてくるデータを受信する受信部３６と、受信したデータと上記スイッチ３５により設定されたデータに基づいて必要な制御データを形成する中央処理装置３７と、該中央処理装置３７にて形成されるディスクアクセス制御信号を記憶するメモリ３８と、上記ディスクアクセス制御信号により指定されたディスクをアクセスして再生する駆動部３９と、上記中央処理装置３７により動作制御される送信バッファ４０を介して供給されるデータを後続のディスクチェンジャ装置に送信するための送信バッファ４１等を備えて成る。上記中央処理装置３７は、上記受信部３６にて受信したデータに含まれているディスク番号Ｄｍｎから「１」を減算する減算部４２、この減算部４２による減算出力〔Ｄmn−１〕を定数ｎ（この実施例ではｎ＝６０とする）で割る除算部４３、この除算部４３にて得られる商出力〔ＱＵ〕と上記スイッチ３５にて与えられる定数〔ＳＷ〕とを比較するデータ比較部４４、このデータ比較部４４の出力に応じて上記送信バッファ４０の動作制御を行うバッファ制御部４５、上記除算部４３にて得られる余出力〔ＳＵ〕に「１」を加算する加算部４６、この加算部４６の出力を上記データ比較部４４の出力に応じて選択的に上記メモリ３８に供給するゲート部４７や上記メモリ３８からディスクアクセス制御信号を読み出して上記駆動部３９に供給するディスクアクセス制御部４８等にて構成されている。」
　　(ｅ) 第４頁右上欄６〜１３行において
　　 「ここで、この実施例では、一台のディスクチェンジャ装置３が管理するコンパクトディスクの数ｎは６０枚とし、上記再生制御装置２によりディスクチェンジャ装置３を１６ 台まで管理できるよにしてある。また、上記再生制御装置２の予約登録メモリ２５には、９個の設定データを記憶する記憶場所ＭＡ１，ＭＡ２・・・ＭＡ９が設けられているものとする。」
　　(ｆ) 第４頁右上欄１５行〜同左下欄１７行において
　　 「上述の如き構成の実施例において、上記再生制御装置２の中央処理装置２３は、上記ファンクションキー１１，１２，１３，１４，１５，１６の操作状態を監視して、第６図のフローチ ャートに示すようなモード設定処理動作を行う。
　　　すなわち、ファンクションキーの監視状態では、ファンクションキーが操作されたか否かを判定Ｆ１して、その判定結果がＹＥＳすなわちファンクションキーが操作された場合には、３０秒タイマＴＭ３０を起動Ｆ２し、操作されたキーが予約キー1１であるか否かの判定Ｆ３動作を行う。
　　　この判定Ｆ３動作の結果がＹＥＳすなわち予約キー１１が操作された場合には、第１の動作モードとしてカラオケモードを示す予約フラグをセットＦ３０して、カラオケモードの予約登録処理を行う。
　　　また、上記判定Ｆ３動作の結果がＮＯであればＢＧＭキー１２が操作されたのか否かの判定Ｆ４に移り、この判定Ｆ４動作の結果がＹＥＳすなわちＢＧＭキー１２が操作された場合には、第２の動作モードとしてＢＧＭモードを示す予約フラグをセットＦ４０して、ＢＧＭモードの予約登録処理を行う。」
　　(ｇ) 第５頁左上欄６行〜同右上欄９行において
　　 「ここで、上述の判定Ｆ３動作の結果がＹＥＳすなわち予約キー１１が操作された場合に行われるカラオケモードの予約登録処理では、カラオケモ−ドを示す予約フラグをセットＦ３０した後に、第１のポインタレジスタ２６の内容〔ＰＫ〕が「９」よりも小さいか否かの判定Ｆ３１動作を行い、上記予約登録用の第１のメモリ２５に第１の動作モードの予約設定データの記憶場所ＭＡ〔ＰＫ〕があるか否かを判定する。（中略）この判定Ｆ３１動作の結果がＮＯすなわち第１の動作モードの予約設定データの記憶場所ＭＡ〔ＰＫ〕がない場合には、フラグをリセットＦ９して、上記予約キー１１の操作を受け付けずに初期状態に戻る。また、上記判定Ｆ３１動作の結果がＹＥＳすなわち第１の動作モードの予約設定データの記憶場所ＭＡ〔ＰＫ〕がある場合には、数値キー２０の操作によるディスク番号〔Ｄmn〕（１〜ｍ・ｎすなわちこの実施例では９６０までの数値）の入力を受け付けＦ３２動作に移る。」
　　(ｈ) 第５頁左下欄１３行〜第６頁左上欄１０行において
　　 「そして、上記数値キー２０の操作により入力されるディスク番号〔Ｄmn〕が入力バッファ２４に正しく入力されたか否かの判定Ｆ３３動作を行う。（中略）上記判定Ｆ３３動作の結果がＹＥＳすなわち適正にディスク番号〔Ｄmn〕の入力が行われると、ＢＧＭモードであるか否かの判定Ｆ３５動作に移る。
　　　上記判定Ｆ３５では、セットされているフラグをチェックしてＢＧＭモードであるか否かの判定を行い、（中略）上記判定結果がＮＯすなわちカラオケモード（第１の動作モード）であれば、上記数値キー２０の操作による曲番号〔Ｍ０〕の入力を受け付けＦ３７動作に移り、曲番号が入力バッファ２４に正しく入力されたか否かの判定Ｆ３８動作を行う。（中略）上記判定Ｆ３８動作の結果がＹＥＳすなわち適正に曲番号〔Ｍ０〕の入力が行われると、上記入力バッファ２４に入力された設定データ〔ＤＲ〕ＩＮを設定登録メモリ２５に書き込む設定データの収納処理Ｆ３９動作に移る。」
　　(ｉ) 第６頁右下欄１２行〜第７頁右上欄１１行において
　　 「また、上記再生制御装置２の中央処理装置２３は、第８図のフローチャートに示すように、上記ディスクチェンジャ装置３から送られてくるモードデータをチェックして、上記ディスクチエンジャ装置３がセットアップモードにあるか否かの判定Ｃ１動作、エラーモードにあるか否かの判定Ｃ２動作、スタンバイモードにあるか否かの判定Ｃ３動作、再データ要求モ−ドにあるか否かの判定Ｃ４動作、ＮＧモードにあるか否かの判定Ｃ５動作、エンドモードにあるか否かの判定Ｃ６動作、さらに、プレーモードにあるか否かの判定Ｃ７動作を順次に行い、上記ディスクチェンジャ装置３の動作状態の管理を行っている。
　　　上記ディスクチェンジャ装置３がディスクアクセスの途中等のセットアップモード状態になっているときには、上記判定Ｃ１動作の結果がＹＥＳとなって上記セットアップモードが終了するまで、この判定Ｃ１を繰り返し行う。
　　　また、上記ディスクチェンジャ装置３ 側でフォーカスエラー等のエラー状態が発生しているときには、次の判定Ｃ２動作の結果がＹＥＳとなってタイマーを動作させて所定の時間待機するエラー処理を行う。
　　　さらに、上記ディスクチェンジャ装置３側が、設定データに応じたディスクアクセスを完了し、直ちに演奏を開始することのできるスタンバイモードになると、次の判定Ｃ３動作の結果がＹＥＳとなって、上記スタートキー１７が操作されたか否かの判定Ｃ３０動作を行って、上記ス夕ートキー１７が操作されると演奏動作を開始するスタート処理Ｃ３１を行う。
　　　さらに、上記ディスクチェンジャ装置３側でデータを正常に受信することができなかったときには、次の判定Ｃ４動作の結果がＹＥＳとなって、送信バッファ２８から先に送信した設定データ〔ＤＲ〕をそのまま再度送信Ｃ６６する。
　　　さらに、上記ディスクチェンジャ装置３側に機械的な不良が発生しているときには、次の判定Ｃ５動作の結果がＹＥＳとなって、全ての動作をキャンセルしてＮＧ処理Ｃ５０を行う。」
　　(ｊ) 第７頁右下欄５行〜第８頁左上欄末行において
　　 「また、この実施例において、上記再生制御装置２の中央処理装置２３は、上記オペレーションキー１７，１８，１９の操作状態を監視して、第９図のフローチャートに示すような動作制御処理動作を行う。
　　　すなわち、オペレーションキーの監視状態では、オペレーションキーが操作されたか否かを判定Ｐ１して、その判定結果がＹＥＳすなわちオペレーションキーが操作された場合には、操作されたのがスタートキー１７であるか否かの判定Ｐ２動作、操作されたのがやり直しキー１８であるか否かの判定Ｐ３動作、あるいは、操作されたのが終了キー１９であるか否かの判定Ｐ４動作を順次に行う。
　　　上記判定Ｐ２動作の結果がＹＥＳすなわちスタートキー１７が操作されたときには、予約登録用の第１のメモリ２５の先頭記憶場所Ｍ１に記憶されている設定データを捨て、次に演奏する設定データを上記先頭記憶場所に転送するとともに、他の設定データも各記憶場所を１個ずつずらすデータ転送Ｐ２１処理を行い、（中略）。その後、送信バッファ２８にスタートデータ（ＡＥ）をセットＰ２６して、このスタートデータ（ＡＥ）をディスクチェンジャ装置３に送信Ｐ２７して演奏動作を開始させるとともに、各種表示部２１の表示制御Ｐ２８を行いスタート処理を終了する。」
　　(ｋ) 第９頁右上欄２行〜同左下欄末行において
　　 「さらに、この実施例において、上記ディスクチェンジャ装置３の中央処理装置３７は、上記再生制御装置２の送信バッファア２８から送信される設定データ〔ＤＲ〕を上記受信部３６にて受信し、上記設定データ〔ＤＲ〕に基づいて第１１図のフローチャートに示すような処理動作を行う。
　　　すなわち、上記中央処理装置３７は、受信した設定データ〔ＤＲ〕に含まれているディスク番号Ｄmnから「１」を減算し、その減算出力〔Ｄmn−１〕を定数ｎ（ｎ＝６０）で割る除算処理Ｒ１を行う。そして、上記除算処理Ｒ１にて得られる商出力〔ＱＵ〕と上記スイッチ３５にて与えられる定数〔ＳＷ〕と比較Ｒ２して、一致しているときには送信バッファ４０に停止データ〔ＣＥ〕をセットＲ４し、また、不一致のときには受信した上記設定データ〔ＤＲ〕をそのまま上記送信バッファ４０にセットＲ９して、後段のディスクチェンジャ装置が正常の動作しているか否かの判定Ｒ５，Ｒ９動作を行う。
　　　そして、上記判定Ｒ５動作の結果がＹＥＳであれば、上記停止データ〔ＣＥ〕を送信バッファ４０から後段のディスクチェンジャ装置に送信Ｒ６して該ディスクチェンジャ装置の演奏動作を停止させ、上記除算処理Ｒ１により得られる余出力〔ＳＵ〕に「１」を加算した数値を自己管理データとしてメモリ３８に取り込み、メカニズムをアクセスＲ７して上記設定データ〔ＤＲ〕にて指定された曲目の演奏を行う。
　　　また、上記判定Ｒ９動作の結果がＹＥＳであるれば、上記設定データ〔ＤＲ〕を送信バッファ４０から後段のディスクチェンジャ装置に送信Ｒ１０して、後段側のディスクチェンジャ装置に上記設定データ〔ＤＲ〕が自己の管理しているディスクの演奏動作をしている否かの同様な判断を行わせる。なお、上記判断Ｒ９動作の結果がＮＯで後段のディスクチェンジャ装置が正常に動作していないときには、エラー信号を上記再生制御装置２に送信Ｒ１１する。」
　　(ｌ) 第１〜６図、第８〜９図及び第１１図において
　　　第１図にはＣＤプレーヤを使用した演奏再生システムが、第２〜３図には前記演奏再生システムにおける再生制御装置が、第４〜５図には前記演奏再生システムにおけるディスクチェンジャ装置が、第６図及び第８〜９図には前記再生制御装置における中央処理装置の動作が、また第１１図には前記ディスクチェンジャ装置における中央処理装置の動作が、それぞれ示されている。
　　
　そして、上記記載事項(ｄ),(ｇ),(ｈ),(ｋ)及び第５〜６図、第１１図をみれば、ディスクチェンジャ装置(3)は、任意の数値データを設定操作自在なスイッチ(35)と、再生制御装置(2)から送信されるデータを受信する受信部(36)と、該受信したデータと前記スイッチ(35)により設定されたデータに基づいて必要な制御データを形成する中央処理装置(37)等を備えており、複数のディスクチェンジャ装置の中から再生動作をさせるべき装置を選択するように構成されているから、刊行物１に記載されたディスク再生装置は、複数のディスクチェンジャ装置のいずれか１つを選択する「選択手段」を備えていることが明らかである。
　また、上記記載事項(ｉ)における「ディスクチェンジャ装置３側に機械的な不良が発生しているとき」（第７頁右上欄８〜９行、及び第８図の判定Ｃ５ 参照）は、「選択手段により選択されたディスクチェンジャ装置がコンパクトディスクを再生できない状態を検知したとき」の一態様であることが分かる。
　　
　してみれば、上記刊行物１には、以下の発明が記載されていることになる。
　「収納部(31)に収納された複数のコンパクトディスク(30a,30b…)より所定の駆動指令に応じて所定のコンパクトディスクの一つを駆動部に装填してこれを演奏する再生装置(34)を備えるディスクチェンジャ装置(3)を複数接続可能なディスク再生装置であって、
　前記複数のディスクチェンジャ装置(3A,3B,3C…)のいずれか一つを選択する選択手段と、
　前記選択手段により選択されたディスクチェンジャ装置(3)に対して前記駆動指令を送出すると共に、前記再生装置(34)の状態を監視する再生制御装置(2)を有し、
　前記再生制御装置(2)は、前記選択手段により選択されたディスクチェンジャ装置(3)がコンパクトディスクを再生できない状態を検知したときは、全ての動作をキャンセルしてＮＧ処理を行うディスク再生装置。」（以下、「刊行物１記載の発明」という。）
　　
　(2) 刊行物２
　　刊行物２には、エラーの発生が光ディスク側にあるのか、光ディスクドライブ側にあるのかを正確に判別することができる「光ディスクライブラリ装置」について、次の事項が記載されている。
　　(ｍ) 第３頁左上欄９行〜同右上欄４行において
　　 「第２図は実施例の構成を示している。図中、１はディジタル形式で情報を記憶する光ディスクであり、読み取り（出力）及び書き込み（入力）の双方が自在のものである。（中略）
　　　２は、光ディスク１を格納するための光ディスク格納庫であり、その内部は多数のセルに分割されていて、各セルごとに光ディスク１が格納される。セルの一部は、不良の光ディスクを収容するための不良ディスク格納セル２ａとして、当初は空になっている。２ｂは、検査用光ディスク６を収容しておくために所定位置に設けられた検査用ディスク格納セル２ｂである。」
　　(ｎ) 第３頁右上欄５〜１３行において
　　 「検査用光ディスク６には、第３図に略示されるように、検査用の所定のデータを書き込んであるデータエリア６ａと、そのデータを書き写すための書き写し用エリア６ｂと、光ディスクドライブ装置３側から与えられるデータを書き込むための書き込み用エリア６ｃとが形成されている。そして、データエリア６ａには、(中略）検査用データが、消去できないように書き込まれている。」
　　(ｏ) 第３頁右上欄１４行〜同左下欄末行において
　　 「第２図に戻って、３は(中略）複数の光ディスクドライブ装置であり、光ディスク１を装填して、その光ディスク１に対して情報の読み取りと書き込みを行うためのものである。
　　　４は(中略）光ディスク運搬装置であり、光ディスク１を光ディスク格納庫２内から光ディスクドライブ装置３に移し、或いは、光ディスクドライブ装置３から光ディスク格納庫２に戻す。（中略）
　　　１１は、装置の外面に設けられた操作パネルであり、１２は、例えば液晶などを用いた表示器である。
　　　１０は本装置のエラー処理動作制御を行うためのエラー処理制御部であり、光ディスクドライブ装置３、光ディスク運搬装置４及び表示器１２などが、各々、図示されていない駆動回路などを介して接続されている。なお、このエラー処理制御部１０は光ディスクドライブ装置３でエラーが発生したときにのみ動作するものであり、装置の通常の動作はホストコントローラ１００によって制御される。１０１は、ホストコントローラ１００の動作制御を行う中央演算装置（ＣＰＵ）である。」
　　(ｐ) 第３頁右下欄１行〜第４頁右上欄４行において
　　 「次に上記実施例の動作を、第４図の処理フロー図を参照しつつ説明する。ｓはステップを示す。
　　　（中略）
　　　光ディスクドライブ装置３において、情報の読み取り又は書き込み等にエラーが発生すると、光ディスク運搬手段４によって、エラーが発生した光ディスクドライブ装置３から光ディスク１を取り出して、その光ディスク１を不良ディスク格納セル２ａに移す（ｓ１）。そして、ひきつづいて光ディスク運搬装置４によって、（中略）検査用光ディスク６を取り出して、エラーが発生した光ディスクドライブ装置３に（中略）装填する（ｓ２）。
　　　次に、その光ディスクドライブ装置３で検査用光ディスク６を駆動し（ｓ３）、エラーが発生するかどうかをチェックする。（中略）
　　　そして、エラーが発生しないときには、光ディスク１の不良であると判定して、その旨を表示器１２に表示させる（ｓ５）。また、その旨をホストコントローラ１００に報告して、不良ディスク格納セル２ａ内の不良ディスクを使用禁止にさせ（ｓ６）た後、（中略）検査用光ディスク６を検査用ディスク格納セル２ｂに戻して（ｓ７）、終了する。
　　　検査用光ディスク６を駆動してエラーが発生しない(「発生しない」は、「発生した」の誤記と認められる。）ときには、検査用光ディスク６が装填されている光ディスクドライブ装置３の不良であると判定して、その旨を表示器１２に表示させる（ｓ８）。また、その旨をホストコントローラ１００に報告して、不良ドライブ装置３を使用禁止にさせ（ｓ９）、光ディスク運搬装置４によって、検査用光ディスク６を検査用ディスク格納セル２ｂに戻す（ｓ１０）。そして、最後に、不良ディスク格納セル２ａから光ディスク１を取り出して、別の光ディスクドライブ装置３に装填し（ｓ１１）、終了する。」
　　(ｑ) 第２〜４図において
　　　第２図には実施例の構成が、第３図には検査用光ディスクが、また第４図には実施例の動作の処理フローが、それぞれ示されている。
　　
　上記記載事項(ｍ)〜(ｐ)及び第２〜４図をみれば、刊行物２には、次の技術的事項が記載されている。
　「光ディスク格納庫(2)に格納された複数の光ディスク(1,1…)から選択された光ディスク(1)を駆動部に装填して、記録又は再生を行う複数の光ディスクドライブ装置(3,3…)を備える光ディスクライブラリ装置において、
　前記光ディスクドライブ装置(3)に不良なものがあると判定されたときは、その不良ドライブ装置(3)を使用禁止にして、別の光ディスクドライブ装置を使用すること。」
　　
４ 対　比
　そこで、本願発明（前者）と刊行物１記載の発明（後者）とを比較すると、後者における「収納部」、「コンパクトディスク」、「再生装置」、「ディスクチェンジャ装置」、「ディスク再生装置」、及び「再生制御装置」は、それぞれ前者における「収納部材」、「記録媒体」、「演奏駆動手段」、「演奏駆動装置」、「記録媒体演奏装置」、及び「制御手段」に相当するものであるから、両者は以下の一致点及び相違点を有するものである。
　[一致点]
　「収納部材に収納された複数の記録媒体より所定の駆動指令に応じて所定の記録媒体の一つを駆動部に装填してこれを演奏する演奏駆動手段を備える演奏駆動装置を複数接続可能な記録媒体演奏装置であって、
　前記複数の演奏駆動装置のいずれか一つを選択する選択手段と、
　前記選択手段により選択された演奏駆動装置に対して前記駆動指令を送出すると共に、前記演奏駆動手段の状態を監視する制御手段を有し、
　前記制御手段は、前記選択手段により選択された演奏駆動装置が記録媒体を再生できない状態を検知したときは、その演奏駆動装置による演奏をしないように制御する記録媒体演奏装置。」
　[相違点]
　選択手段により選択された演奏駆動装置が記録媒体を再生できない状態を検知したとき、前者においては、制御手段が他の演奏駆動装置を選択するように選択手段を制御するのに対して、後者では、全ての動作をキャンセルしてＮＧ処理を行うが、他の演奏駆動装置を選択するかどうかは明らかでない点。
　　
５ 当審の判断
　以下、上記相違点について検討する。
　複数の記録再生駆動装置（光ディスクドライブ装置）を備える記録再生装置（光ディスクライブラリ装置）において、１つの記録再生駆動装置が記録媒体（光ディスク）の記録又は再生をすることができない状態になったとき、それの使用を取り止めて他の記録再生駆動装置を使用するように構成することは、上記刊行物２に記載されているとおり公知の技術的事項であり、この公知の技術的事項を刊行物１記載の発明に適用して本願発明のように構成することは、当業者であれば容易に想い到ることである。
　しかも、本願発明を全体的にみても、上記刊行物１及び２に記載された発明から当業者が当然予測できる範囲を超える格別の作用・効果を見出すことができない。
　　
６ むすび
　以上のとおりであって、本願発明は、刊行物１及び２に記載された発明に基づいて、当業者が容易に発明をすることができたものであるから、特許法第２９条第２項の規定により特許を受けることができない。
　よって、結論のとおり審決する。